(57)【要約】【課題】複数種類の硬貨であっても、硬貨が所定額収容されたことを機械的に検出でき、単一の硬貨を多数所持していなくても所定額の硬貨を検出できる硬貨検出装置及びキー操作による施解錠が可能になる硬貨式錠装置を提供する。【解決手段】投入される少なくとも２種類の硬貨の種類にそれぞれ対応して少なくとも２つの硬貨収容手段２１０，２２０が設けられ、投入された少なくとも２つの硬貨をその種類毎に整列して収容する。貨収容手段に収容された少なくとも２種類の硬貨の少なくとも１つの組合せによって所定額となる当該硬貨がそれぞれ収容される硬貨収納手段の部位に複数の組合せ硬貨検知手段４２３，４３２がそれぞれ設けられ、当該部位に収容された硬貨によってそれぞれ作動される。所定額となる部位の複数の組合せ硬貨検知手段が同時に作動されていることで２種類以上の硬貨の組合せで所定額収容されたことを検出する。【選択図】図３
2007299239.tif 000002
【特許請求の範囲】
【請求項１】
投入された少なくとも２種類の硬貨の組合せによって所定額となる硬貨が収容されたことを検出する硬貨検出装置であって、
投入される前記硬貨の種類にそれぞれ対応して設けられ、投入された前記硬貨をその種類毎に整列して収容する少なくとも２つの硬貨収容手段と、
前記硬貨収容手段に収容された少なくとも２種類の硬貨の少なくとも１つの組合せによって前記所定額となる当該硬貨がそれぞれ収容される前記硬貨手段の部位にそれぞれ設けられ、当該部位に収容された硬貨によってそれぞれ作動される複数の組合せ硬貨検知手段とを備え、
２種類以上の硬貨の組合せで前記所定額収容されたことを、当該組合せに対応する前記複数の組合せ硬貨検知手段が同時に作動されていることで検出する
ことを特徴とする硬貨検出装置。
【請求項２】
前記硬貨収容手段の各々に収容された硬貨のみによって前記所定額となる当該硬貨が収容される部位にそれぞれ設けられ、当該部位に収容された硬貨によってそれぞれ作動される単一硬貨検知手段をさらに備え、
１種類の硬貨で前記所定額収容されたことを前記単一種硬貨検知手段の作動により検出する
ことを特徴とする請求項１記載の硬貨検出装置。
【請求項３】
前記所定額は高額硬貨２枚以内の金額である
ことを特徴とする請求項１又は２記載の硬貨検出装置。
【請求項４】
前記高額硬貨が１００円硬貨であり、低額硬貨が５０円硬貨である
ことを特徴とする請求項３記載の硬貨検出装置。
【請求項５】
前記高額硬貨が５００円硬貨であり、低額硬貨が１００円硬貨である
ことを特徴とする請求項３記載の硬貨検出装置。
【請求項６】
前記硬貨収容手段が収容した硬貨を解放可能に保持する保持手段を有し、
前記所定額となる硬貨の収容が検出されたとき操作可能となる操作手段と、
該操作手段の操作によって前記保持手段による保持を解放し前記硬貨収容手段に収容されている硬貨を装置内に回収する硬貨回収手段と
をさらに備えることを特徴とする請求項１〜３の何れかに記載の硬貨検出装置。
【請求項７】
前記操作手段が操作される前の操作によって前記保持手段による保持を解放し前記硬貨収容手段に収容されている硬貨を返却する硬貨返却手段
をさらに備えることを特徴とする請求項６記載の硬貨検出装置。
【請求項８】
所定額となる硬貨が収容されたことが検出されたとき、施解錠可能となる硬貨式錠装置であって、
キーが抜けない解錠位置とキーが挿抜自在となる施錠位置との間でキーによって回動操作されるシリンダ錠と、
前記解錠位置にあるとき前記シリンダ錠のキーによる回動操作を規制する規制手段と、
請求項１〜５記載の何れかに記載の硬貨検出装置と、
該硬貨検出装置が前記所定額となる硬貨の収容を検出したとき前記規制手段による規制を解除して前記シリンダ錠の前記解錠位置から前記施錠位置へのキーによる回動操作を可能にする
ことを特徴とする硬貨式錠装置。
【請求項９】
前記硬貨検出装置が有する前記硬貨収容手段が収容した硬貨を解放可能に保持する保持手段と、
前記シリンダ錠からのキーの引き抜きによって前記保持手段による保持を解放し前記硬貨収容手段に収容されている硬貨を装置内に回収する硬貨回収手段と
をさらに備えることを特徴とする請求項８記載の硬貨式錠装置。
【請求項１０】
前記解錠位置にあるときの操作によって前記保持手段による保持を解放し前記硬貨収容手段に収容されている硬貨を装置外に返却する硬貨返却手段
をさらに備えることを特徴とする請求項９記載の硬貨式錠装置。
【請求項１１】
キーが抜けない解錠位置とキーが挿抜自在となる施錠位置との間でキーによって回動操作可能であり、所定額に達する数の硬貨が投入されていないとき、前記解錠位置においてキーによる回動操作が規制され、所定額に達する数の硬貨が投入されたことを機械的に検出して前記回動操作の規制が解除されてキーによる回動操作によって施錠及び解錠が可能になるシリンダ錠を備える硬貨式錠装置であって、
投入された高額硬貨を最大２枚収容する第１の硬貨収容手段と、
投入された低額硬貨を、最大前記高額硬貨の２枚分の金額に相当する枚数収容する第２の硬貨収容手段と、
前記第１の硬貨収容手段及び前記第２の硬貨収容手段にそれぞれ収容された前記高額硬貨及び前記低額硬貨の何れか一方、又は両方によって前記所定額となる硬貨を検知する硬貨検出機構と、
該硬貨検出機構によって、前記第１及び第２の硬貨収容手段に前記所定額の硬貨が収容されていることが検出されていないとき、前記シリンダ錠の前記解錠位置から前記施錠位置へのキーによる回動操作を規制する規制手段と、
前記硬貨検出機構によって、前記第１及び第２の硬貨収容手段にそれぞれ収容された前記高額硬貨及び前記低額硬貨の何れか一方によって前記所定額の硬貨が収容されていることが検出されたとき、前記規制手段による規制を解除し、前記硬貨検出機構によって、前記第１の硬貨収容手段及び前記第２の硬貨収容手段にそれぞれ収容された前記高額硬貨及び前記低額硬貨の両方によって前記所定額となる硬貨が検出されたとき、キーによる前記シリンダ錠の回動操作によって、前記規制手段による規制を解除する規制解除手段と
を備えることを特徴とする硬貨式錠装置。
【発明の詳細な説明】
【技術分野】
【０００１】
本発明は、投入された硬貨が所定額収容されたことを機械的に検出するとともに検知によって操作などを可能にする硬貨検出装置、及び、硬貨検出装置による所定額の収容が検出されたとき例えばコインロッカのような収容室の扉を施錠及び解錠するキー操作が可能になる硬貨式錠装置に関するものである。
【背景技術】
【０００２】
この種の硬貨式錠装置としては、コインロッカに使用されているものが一般的である。従来の硬貨式錠装置は、投入された例えば１００円硬貨が所定額となる枚数収容されたことを検出したときにキー操作によって施解錠できるように構成したものがある。（例えば、特許文献１参照。）
【特許文献１】特開２０００−２００３８２号公報
【発明の開示】
【発明が解決しようとする課題】
【０００３】
上述した従来の硬貨式錠装置においては、投入された硬貨が所定額収容されたことを機械的に検出する装置は、１種類の硬貨で所定額となる枚数を検知するものでしかなかったため、小額の硬貨を含めれば所定額となる硬貨を利用者がたとえ所持していても、投入可能な硬貨を必要枚数分所持していないために、両替しなければ利用できなかった。
【０００４】
また、近時、コインロッカの収容室を使用するために、所定額が高額となり、何枚もの硬貨を投入することが必要な硬貨式錠装置も出現してきている。この様な場合にも、高額の硬貨を含めれば所定額となる硬貨を所持していても、投入可能な硬貨が所定枚数に足りないため、両替しなければならなかった。この様に、その利用に際し投入する必要のある硬貨の枚数も増えて両替を必要となる頻度がますます高くなると、その利便性を損なうようになるだけでなく、硬貨投入の煩わしさを利用者に感じさせるものとなってきている。
【０００５】
よって、本発明は、上述した現状に鑑み、複数種類の硬貨であっても、複数種類の硬貨であっても、硬貨が所定額収容されたことを機械的に検出でき、単一の硬貨を多数所持していなくても所定額の硬貨を検出できる硬貨検出装置を提供することを課題としている。
【０００６】
また、本発明は、単一種類の硬貨であっても、硬貨が所定額収容されたことを機械的に検出でき、単一の硬貨を多数所持していなくてもキー操作による施解錠が可能になる硬貨式錠装置を提供することを課題としている。
【課題を解決するための手段】
【０００７】
上記課題を解決するためなされた請求項１記載の発明に係る硬貨検出装置は、投入された少なくとも２種類の硬貨の組合せによって所定額となる硬貨が収容されたことを検出する硬貨検出装置であって、投入される前記硬貨の種類にそれぞれ対応して設けられ、投入された前記硬貨をその種類毎に整列して収容する少なくとも２つの硬貨収容手段と、前記硬貨収容手段に収容された少なくとも２種類の硬貨の少なくとも１つの組合せによって前記所定額となる当該硬貨がそれぞれ収容される前記硬貨収容手段の部位にそれぞれ設けられ、当該部位に収容された硬貨によってそれぞれ作動される複数の組合せ硬貨検知片とを備え、２種類以上の硬貨の組合せで前記所定額収容されたことを、当該組合せに対応する前記複数の組合せ硬貨検知手段が同時に作動されていることで検出することを特徴とする。
【０００８】
上記構成により、投入される少なくとも２種類の硬貨の種類にそれぞれ対応して少なくとも２つの硬貨収容手段が設けられ、投入された少なくとも２つの硬貨をその種類毎に整列して収容し、硬貨収容手段に収容された少なくとも２種類の硬貨の少なくとも１つの組合せによって所定額となる当該硬貨がそれぞれ収容される硬貨収容手段の部位に複数の組合せ硬貨検知片がそれぞれ設けられ、当該部位に収容された硬貨によってそれぞれ作動され、所定額となる部位の複数の組合せ硬貨検知手段が同時に作動されていることで２種類以上の硬貨の組合せで所定額収容されたことを検出するので、複数種類の硬貨であっても、硬貨が所定額収容されたことを機械的に検出できる。
【０００９】
請求項２記載の発明に係る硬貨検出装置は、請求項１記載の硬貨検出装置において、前記硬貨収容手段の各々に収容された硬貨のみによって前記所定額となる当該硬貨が収容される部位にそれぞれ設けられ、当該部位に収容された硬貨によってそれぞれ作動される単一硬貨検知片をさらに備え、１種類の硬貨で前記所定額収容されたことを前記単一種硬貨検知手段の作動により検出する。
【００１０】
上記構成により、硬貨収容手段の各々に収容された硬貨のみによって所定額となる当該硬貨が収容される部位に単一種硬貨検知手段がそれぞれ設けられ、当該部位に収容された硬貨によってそれぞれ作動され、１種類の硬貨で所定額収容されたことを検出するので、いずれの硬貨でも所定額となる枚数が収容されたときに、所定額収容されたことを検出できる。
【００１１】
請求項３記載の発明に係る硬貨検出装置は、請求項１又は２記載の硬貨検出装置において、前記所定額は高額硬貨２枚以内の金額であることを特徴とする。
【００１２】
上記構成により、所定額となる硬貨の組み合わせ数も最少にでき、低額硬貨を単独で収容される硬貨の枚数を制限できる。
【００１３】
請求項４記載の発明に係る硬貨検出装置は、請求項３記載の硬貨検出装置において、前記高額硬貨が１００円硬貨であり、低額硬貨が５０円硬貨であることを特徴とする。
【００１４】
上記構成により、１００円硬貨１枚と５０円２枚の組み合わせを検出すればよく、また５０円硬貨の枚数も最大で４枚に制限できる。
【００１５】
請求項５記載の発明に係る硬貨検出装置は、請求項３記載の硬貨検出装置において、前記高額硬貨が５００円硬貨であり、低額硬貨が１００円硬貨であることを特徴とする。
【００１６】
上記構成により、５００円硬貨１枚と１００円１枚〜５枚の組み合わせを検出すればよく、また１００円硬貨の枚数も最大で１０枚に制限できる。
【００１７】
請求項６記載の発明に係る硬貨検出装置は、請求項１〜３の何れかに記載の硬貨検出装置において、前記硬貨収容手段が収容した硬貨を解放可能に保持する保持手段を有し、
前記所定額となる硬貨の収容が検出されたとき操作可能となる操作手段と、該操作手段の操作によって前記保持手段による保持を解放し前記硬貨収容手段に収容されている硬貨を装置内に回収する硬貨回収手段とをさらに備えることを特徴とする。
【００１８】
上記構成により、硬貨収容手段が収容した硬貨を保持手段が解放可能に保持し、操作手段が所定額となる硬貨の収容が検出されたとき操作可能となり、硬貨回収手段が操作手段の操作によって保持手段による保持を解放し硬貨収容手段に収容されている硬貨を装置内に回収するので、所定額の課金によって操作手段の操作を可能にする種々の装置に適用できる。
【００１９】
請求項７記載の発明に係る硬貨検出装置は、請求項６記載の硬貨検出装置において、前記操作手段が操作される前の操作によって前記保持手段による保持を解放し前記硬貨収容手段に収容されている硬貨を返却する硬貨返却手段をさらに備えることを特徴とする。
【００２０】
上記構成により、硬貨返却手段が、操作手段が操作される前の操作によって保持手段による保持を解放し硬貨収容手段に収容されている硬貨を返却するので、所定額となるのに必要な硬貨の枚数が不足しているを硬貨の投入後にわかったときでも、硬貨の返却を受けさせることができる。
【００２１】
請求項８記載の発明に係る硬貨式錠装置は、所定額となる硬貨が収容されたことが検出されたとき、施解錠可能となる硬貨式錠装置であって、キーが抜けない解錠位置とキーが挿抜自在となる施錠位置との間でキーによって回動操作されるシリンダ錠と、前記解錠位置にあるとき前記シリンダ錠のキーによる回動操作を規制する規制手段と、請求項１〜５記載の何れかに記載の硬貨検出装置と、該硬貨検出装置が前記所定額となる硬貨の収容を検出したとき前記規制手段による規制を解除して前記シリンダ錠の前記解錠位置から前記施錠位置へのキーによる回動操作を可能にすることを特徴とすることを特徴とする。
【００２２】
上記構成により、キーが抜けない解錠位置とキーが挿抜自在となる施錠位置との間でキーによって回動操作されるシリンダ錠が解錠位置にあるときシリンダ錠のキーによる回動操作を規制手段が規制し、上記硬貨検出装置が所定額となる硬貨の収容を検出したとき規制手段による規制を解除してシリンダ錠の解錠位置から施錠位置へのキーによる回動操作を可能にするので、単一硬貨で所定額を投入して収容させてキーによってシリンダ錠の施解錠を可能にする場合に比べて、所定額となるのに必要な各硬貨の枚数が少なくてよい。
【００２３】
請求項９記載の発明に係る硬貨式錠装置は、請求項８記載の硬貨検出装置において、前記硬貨検出装置が有する前記硬貨収容手段が収容した硬貨を解放可能に保持する保持手段と、前記シリンダ錠からのキーの引き抜きによって前記保持手段による保持を解放し前記硬貨収容手段に収容されている硬貨を装置内に回収する回収手段とをさらに備えることを特徴とする。
【００２４】
上記構成により、硬貨検出装置が有する硬貨収容手段に収容した硬貨を保持手段が解放可能に保持し、シリンダ錠からのキーの引き抜きによって回収手段が保持手段による保持を解放し硬貨収容手段に収容されている硬貨を装置内に回収するので、利用料として所定額となる硬貨を投入して収容させることによって、キーによりシリンダ錠を回動操作して施錠できるサービスを提供し、その利用料をキーの抜き取り時に回収することができる。
【００２５】
請求項１０記載の発明に係る硬貨式錠装置は、請求項９記載の硬貨検出装置において、前記解錠位置にあるときの操作によって前記保持手段による保持を解放し前記硬貨収容手段に収容されている硬貨を装置外に返却する硬貨返却手段をさらに備えることを特徴とする。
【００２６】
上記構成により、解錠位置にあるときの操作によって硬貨返却手段が保持手段による保持を解放し硬貨収容手段に収容されている硬貨を装置外に返却するので、所持していた硬貨が不足して所定額となる硬貨の投入を行えないときに、途中まで投入した硬貨を利用者の操作によって返却することができる。
【００２７】
請求項１１記載の発明に係る硬貨式錠装置は、キーが抜けない解錠位置とキーが挿抜自在となる施錠位置との間でキーによって回動操作可能であり、所定額に達する数の硬貨が投入されていないとき、前記解錠位置においてキーによる回動操作が規制され、所定額に達する数の硬貨が投入されたことを機械的に検出して前記回動操作の規制が解除されてキーによる回動操作によって施錠及び解錠が可能になるシリンダ錠を備える硬貨式錠装置であって、投入された高額硬貨を最大２枚収容する第１の硬貨収容手段と、投入された低額硬貨を、最大前記高額硬貨の２枚分の金額に相当する枚数収容する第２の硬貨収容手段と、前記第１の硬貨収容手段及び前記第２の硬貨収容手段にそれぞれ収容された前記高額硬貨及び前記低額硬貨の何れか一方、又は両方によって前記所定額となる硬貨を検知する硬貨検出機構と、該硬貨検出機構によって、前記第１及び第２の硬貨収容手段に前記所定額の硬貨が収容されていることが検出されていないとき、前記シリンダ錠の前記解錠位置から前記施錠位置へのキーによる回動操作を規制する規制手段と、前記硬貨検出機構によって、前記第１及び第２の硬貨収容手段にそれぞれ収容された前記高額硬貨及び前記低額硬貨の何れか一方によって前記所定額の硬貨が収容されていることが検出されたとき、前記規制手段による規制を解除し、前記硬貨検出機構によって、前記第１の硬貨収容手段及び前記第２の硬貨収容手段にそれぞれ収容された前記高額硬貨及び前記低額硬貨の両方によって前記所定額となる硬貨が検出されたとき、キーによる前記シリンダ錠の回動操作によって、前記規制手段による規制を解除する規制解除手段とを備えることを特徴とする。
【００２８】
上記構成により、キーが抜けない解錠位置とキーが挿抜自在となる施錠位置との間でキーによって回動操作可能であり、所定額に達する数の硬貨が投入されていないとき、第１の位置においてキーによる回動操作が規制され、所定額に達する数の硬貨が投入されたことを機械的に検出して回動操作の規制が解除されてキーによるシリンダ錠の回動操作によって施錠及び解錠が可能になっていて、第１の硬貨収容手段が投入された高額硬貨を最大２枚収容し、第２の硬貨収容手段が投入された低額硬貨を、最大前記高額硬貨の２枚分の金額に相当する枚数収容し、第１の硬貨収容手段及び第２の硬貨収容手段にそれぞれ収容された高額硬貨及び低額硬貨の何れか一方、又は両方によって所定額となる硬貨を硬貨検出機構が検出する。硬貨検出機構によって、第１及び第２の硬貨収容手段に所定額の硬貨が収容されていることが検出されていないとき、規制手段がシリンダ錠のキーによる回動操作を規制し、硬貨検出機構により第１の硬貨収容手段及び第２の硬貨収容手段にそれぞれ収容された高額硬貨及び低額硬貨の何れか一方によって所定額となる硬貨が検出されたとき、規制手段による規制を規制解除手段により解除し、硬貨検出機構によって、第１の硬貨収容手段及び前記第２の硬貨収容手段にそれぞれ収容された高額硬貨及び低額硬貨の両方によって所定額となる硬貨が検出されたとき、キーによるシリンダ錠の回動操作によって、規制手段による規制を解除するので、単一硬貨で所定額を投入して収容させる場合に比べて、所定額となるのに必要な各硬貨の枚数が少なくてすむ、
【発明の効果】
【００２９】
請求項１記載の発明によれば、複数種類の硬貨であっても、硬貨が所定額収容されたことを機械的に検出できるので、単一の硬貨を多数所持していなくてもキー操作による施解錠が可能になるので、単一硬貨で所定額を投入して収容させる場合に比べて、所定額となるのに必要な各硬貨の枚数が少なくてよい硬貨検出装置が得られる。
【００３０】
請求項２記載の発明によれば、いずれの硬貨でも所定額となる枚数が収容されたときに、所定額収容されたことを検出できるので、複数種類の硬貨だけでなく、単一硬貨であっても、硬貨が所定額収容されたことを機械的に検出でき、融通性の高い硬貨検出装置が得られる。
【００３１】
請求項３記載の発明によれば、所定額となる硬貨の組み合わせ数が最少にでき、低額硬貨を単独で収容される硬貨の枚数も制限できるので、装置が必要以上に大型化することを回避できる。
【００３２】
請求項４記載の発明によれば、１００円硬貨１枚と５０円２枚の組み合わせを検出すればよく、また５０円硬貨の枚数も最大で４枚に制限できるので、装置が必要以上に大型化することを回避できる。
【００３３】
請求項５記載の発明によれば、前記高額硬貨が５００円硬貨であり、低額硬貨が１００円硬貨であるので、装置が必要以上に大型化することを回避できる。
【００３４】
請求項６記載の発明によれば、所定額の課金によって操作手段の操作を可能にする種々の装置に適用できるので、複数種類の硬貨が使用できることで、この種の装置における利用者の利便性を向上することができる。
【００３５】
請求項７記載の発明によれば、所定額となるのに必要な硬貨の枚数が不足しているを硬貨の投入後にわかったときでも、硬貨の返却を受けさせることができる。
【００３６】
請求項８記載の発明によれば、単一硬貨で所定額を投入して収容させてキーによってシリンダ錠の施解錠を可能にする場合に比べて、所定額となるのに必要な各硬貨の枚数が少なくてもキー操作による施解錠が可能になる硬貨式錠装置を得ることができる。
【００３７】
請求項９記載の発明によれば、利用料として所定額となる硬貨を投入して収容させることによって、キーによりシリンダ錠を回動操作して施錠できるサービスを提供し、その利用料をキーの抜き取り時に回収することができる。
【００３８】
請求項１０記載の発明によれば、所持していた硬貨が不足して所定額となる硬貨の投入を行えないときに、途中まで投入した硬貨を利用者の操作によって返却することができる。
【００３９】
請求項１１記載の発明によれば、複数種類の硬貨であっても、硬貨が所定額収容されたことを機械的に検出できるので、単一硬貨で所定額を投入して収容させる場合に比べて、所定額となるのに必要な各硬貨の枚数が少なくてすみ、両替を必要とすることなくキー操作による施解錠が可能になる硬貨式錠装置を得ることができる。
【発明を実施するための最良の形態】
【００４０】
以下、本発明に係る硬貨検出装置とこれを組み込んだ硬貨式錠装置の一実施形態を図面中図１〜図３５を参照して説明する。硬貨式錠装置（以下、錠装置と略記する。）はロッカ扉をそれぞれ有する多数の荷物収容室を備えるコインロッカにおいて、荷物収容室を区画する壁に埋め込まれて設置され、各荷物収容室のロッカ扉を施解錠するために適用される。
【００４１】
図１は第１の実施形態にかかる錠装置の正面図であり、（ａ）は解錠状態を、（ｂ）は施錠状態をそれぞれ示す。なお、図２は図１（ａ）に示した錠装置の左側面図、図３は同右側面図、図４は同背面図、図５は同上面図、図６は同底面図、図７は右後方寄りから見た同斜視図である。図示の第１の実施形態にかかる錠装置は、２種類の硬貨、１００円硬貨又は５０円硬貨の各々、或いは、組合せによって２００円の所定額となる硬貨が投入されることでロッカ扉を施解錠できるように構成されている。
【００４２】
図示の錠装置は、正面板１０ａ、左側板１０ｂ及び右側板１０ｃからなり、錠装置の各種の機構が収容配置される空間Ｓを形成する金属製の枠体１０と、枠体１０の正面板１０ａの外側に重ねて配置された化粧板としての前板１１とを有する。左側板１０ｂは、錠装置が荷物収容室を区画する右側壁に埋め込まれたとき、荷物収容室の内壁の一部を形成する。なお、前板１１はその左右両側が左側板１０ｂ及び右側板１０ｃと重なるように後方に折り曲げられ、この折曲部１１ｂおよび１１ｃで自身と枠体１０を補強している。
【００４３】
前板１１には、その上部側方に、コインロッカの使用に当たって使用者によって１００円硬貨及び５０円硬貨がそれぞれ投入される１００円硬貨投入口１１ａと５０円硬貨投入口１１ｂが設けられ、これらの硬貨投入口１１ａ、１１ｂの下方に、使用者に対して投入硬貨を返却する１００円硬貨返却口１２ａと５０円硬貨返却口１２ｂが設けられ、これらの硬貨返却口１２ａ、１２ｂには、返却された硬貨が落下しないように受ける硬貨受け１２ｃが付設されている。
【００４４】
さらに、前板１１には、硬貨投入口１１ａ、１１ｂの右上側方に、ロッカ管理者によって操作される管理者用のシリンダ錠１３が、硬貨返却口１２ａ、１２ｂの右上側方に、ロッカ利用者によってキー１６により回動操作される利用者用のシリンダ錠１４が、利用者用のシリンダ錠１４の下方に、投入硬貨の返却を求める利用者によって押圧操作される返却操作軸１５がそれぞれ設けられている。利用者用のシリンダ錠１４は、そのキー挿抜孔に挿入されたキー１６の回動操作によって施錠板１７を折曲部１１ｄの出没孔１１ｂ１を通じて出没させてロッカ扉の施解錠を行う。
【００４５】
本実施形態では、利用者用のシリンダ錠１４としては、キー１６が図１（ａ）に示す解錠状態に対応するキー引き抜き不能位置と、図１（ｂ）に示す垂直な状態になった施錠状態に対応するキー挿抜自在位置との間でキー１６により回動操作されるものが使用されるが、錠装置は、このシリンダ錠１４の施錠状態に対応するキー挿抜自在位置と解錠状態に対応するキー引き抜き不能位置への回動によって、施錠手段としての施錠板１７を出没させるように駆動し施解錠を行う駆動手段としての駆動機構１００（詳細は後述する。）を有する。施錠板１７が図１（ａ）のように出没孔１１ｂ１内に没入されるとロッカ扉が開閉自在になり、図１（ｂ）のように施錠板１７が出没孔１１ｂ１から突出されるとロッカ扉が開閉不能になる。
【００４６】
錠装置は、図１（ａ）に示す解錠状態にあるとき、硬貨投入口１１ａ、１１ｂへの硬貨投入が可能であるが、硬貨投入口１１ａ、１１ｂに投入される何れか一方の硬貨によって、又は両方の組合せによって、投入硬貨が所定額となるまでは、シリンダ錠１４に関連して上記空所Ｓに設けられた回動操作規制片３００（詳細は後述する。）によって、キー１６によるシリンダ錠１４の回動操作が規制され、施錠板１７を出没孔１１ｂ１から突出させてロッカ扉を施錠することができない。硬貨投入口１１ａ、１１ｂに投入された硬貨は、硬貨投入口１１ａ、１１ｂの後方に枠体１０の左側板１０ｂ内側に沿って設けられた１００円硬貨収容部２１０及び５０円硬貨収容部２２０からなる硬貨収容保持部２００に収容されて保持され、硬貨収容保持部２００に収容保持された硬貨が、２００円の所定額となると、このことが硬貨検出手段としての硬貨検出機構４００（詳細は後述する。）によって検出される。
【００４７】
硬貨検出機構４００は、硬貨収容保持部２００に収容保持された硬貨によって、所定額の硬貨が投入されたことを検出すると、それまでの回動操作規制片３００による規制が解除され、キー１６によるシリンダ錠１４の回動操作が可能になる。キー１６によりシリンダ錠１４が図１（ｂ）に示す施錠位置に回動操作されると、駆動機構１００によって施錠板１７が駆動されて出没孔１１ｂ１から突出されてロッカ扉を開けることができない施錠状態となる。この状態でキー１６をキー挿抜孔から引き抜くことによって、荷物を保管することができる。
【００４８】
施錠位置に回動操作されたシリンダ錠１４のキー挿抜孔からキー１６が引き抜かれると、硬貨収容保持部２００に収容保持されている硬貨が開放され、図示しない回収部に落下されてロッカ使用料金として回収される。
【００４９】
なお、キー１６がシリンダ錠１４から挿抜不能な解錠状態にあるとき、返却操作軸１５が押圧されると、硬貨収容保持部２００に収容保持されている硬貨が開放されるとともに開放され落下された硬貨が硬貨返却口１２ａ、１２ｂから返却される。したがって、利用者が硬貨投入を都合により途中で止め、返却操作軸１５を押圧すれば、硬貨返却口１２ａ、１２ｂから投入硬貨の返却を受けることができる。
【００５０】
ロッカの使用を終了し、キー１６をシリンダ錠１４のキー挿抜孔に挿入して図１（ａ）のキー引き抜き不能な位置までシリンダ錠１４が回動操作されると、施錠板１７が出没孔１０ｂ１内に没入してロッカ扉を開閉できる解錠状態になり、ロッカ扉を開けて荷物収容室から荷物を取り出すことができる。この解錠状態においては、キー１６によるシリンダ錠１４の回動操作が、回動操作規制片３００により規制されて不能になるとともにキー１６が引き抜き不能となる。
【００５１】
以上概略説明した本発明の錠装置が有する機構について、枠体１０を除去した図１〜図４及び図７に対応する図８〜図１１及び図１２などを参照して以下詳細に説明する。
【００５２】
キー１６によってシリンダ錠１４を回動操作して施錠板１７を出没させるように駆動し施解錠を行う駆動手段としての駆動機構１００は、図１０に示すように、シリンダ錠１４の背後に配置されており、図８、図１０及び図１１の一部分を示す図１３、図１４及び図１５に示すように、キー１６により回動操作されるシリンダ錠１４のシリンダ軸１４ａ（図７、図１０）の後端に嵌合角孔１１１が嵌合されて固定され、シリンダ軸１４ａとともに回動する駆動板１１０を有する。施錠板１７は、枠体１０の正面板１０ａの内面に沿って移動し出没孔１１ｂ１を通じて出没するように案内されている。施錠板１７の出没状態は、上記空間Ｓ内に常時ある施錠板１７の後端部に形成したＬ字状の係合溝１７ａに係合された係合ピン１２１を一端に有する施錠板保持片１２０によって保持される。
【００５３】
施錠板保持片１２０は、その他端が正面板１０ａに突設した止軸１０ａ２に回転自在に枢着されている。係合ピン１２１と同軸に反対方向に突設された連結軸１２２には、正面板１０ａに突設した軸１０ａ３に一端１３１が回動自在に固定されたねじりコイルスプリング１３０の他端１３２が回動自在に固定されている。ねじりコイルスプリング１３０は軸１０ａ３と連結軸１２２との間に縮設されている。連結軸１２２は、施錠板保持片１２０が軸１０ａ２を中心に回動したとき、軸１０ａ２と軸１０ａ３との間を結ぶ直線を交差して移動するような位置に設けられる。
【００５４】
上述のような構成によって、施錠板保持片１２０は、ねじりコイルスプリング１３０によって、軸１２２が上記直線を超えて右側にあるとき時計回転方向の付勢力が付与されて図示の状態に保持され、軸１２２が上記直線を超えて左側にあるとき反時計回転方向の付勢力が付与されてその状態に保持されることで、Ｌ字状の係合溝１７ｂに係合されている係合ピン１２１を介して施錠板１７を突出状態と没入状態に保持する。
【００５５】
施錠板保持片１２０に突設された連結軸１２２には、図１５中から一部の部材を除いた状態を示す図１６から分かるように、キー１６によるシリンダ錠１４の回動操作によってシリンダ軸１４とともに回動される駆動板１１０の一端部の連結凹部１１２が係合されている。したがって、同図において、キー１６によるシリンダ錠１４の回動操作によってシリンダ軸１４ａとともに駆動板１１０が時計回転方向に回動されると、施錠板保持片１２０はねじりコイルスプリング１３０の付勢力に抗して回動されるようになる。
【００５６】
しかし、硬貨収容保持部２００に所定額の硬貨が収容保持されていないときには、図１４中の断面線についての断面図である図１７に示されるように、施錠板保持片１２０の一端の連結軸１２２がその回動軌跡上に位置する回動操作規制片３００の規制部３１０に突き当たってそれ以上の回動が阻止されるため、キー１６によるシリンダ錠１４の回動操作が規制され、施錠板１７を出没孔１１ｂ１から突出させてロッカ扉を施錠することができない。回動操作規制片３００は、キー引き抜き不能な解錠状態にあるとき、キー１６によるシリンダ錠１４の回動操作を規制する規制手段を構成する。
【００５７】
回動操作規制片３００は、図示しない一対の止軸に一対の軸孔３０１（１つだけ見える）で回動自在に軸止され、重量アンバランスによって、図示しないストッパに突き当たった図１６の停止状態で矢印で示す反時計回転方向の回転力が付与されており、規制部３１０はここに連結軸１２２が突き当たったとき、回動操作規制片３００を反時計回転方向に回動させるような位置に設けられている。回動操作規制片３００には、硬貨検知片４１１及び４１２を有し、後述する硬貨検出機構４００の一部を構成している硬貨センサ４１０が一体に形成されている。
【００５８】
上述した回動操作規制片３００の規制部３１０によるシリンダ錠１４の回動操作規制は、回動操作規制片３００が自重アンバランスによる反時計回転方向の付勢力に抗して時計回転方向に回動され、図１８に示すように、規制部３１０が連結軸１２２の回動軌跡外に移動されたときに解除され、キー１６によるシリンダ錠１４の回動操作によって施錠板１７を出没孔１１ｂ１から突出させてロッカ扉を施錠することができるようになる。
【００５９】
次に、１００円硬貨収容部２１０及び５０円硬貨収容部２２０からなる硬貨収容保持部２００と、硬貨収容保持部２００に収容保持されている硬貨が所定額となったことを検出する硬貨検出機構４００とを説明する。
【００６０】
１００円硬貨収容部２１０は、枠体を除去して示す図９及び図１２に示されるように、左側板１０ｂの内側に隣接して配置された合成樹脂製の１００円硬貨収容シュータ部材２１１と左側板内面との間に形成されている。このために、シュータ部材２１１には、最大２個の１００円硬貨を直径方向を上下に並べて収容できる長さの空所を有する１００円硬貨収容部２１０を画成するとともに、１００円硬貨収容部２１０から図示しない回収部と１００円硬貨返却口１２ａとに硬貨を導く案内路を画成するリブ２１１ａが設けられている。また、１００円硬貨収容部２１０の入口部には、１００円硬貨投入口１１ａに投入された硬貨を検銭し、正規硬貨の直径に相当するもののみを受け入れ、それ以外のものの受入を阻止する１００円硬貨検銭機構２１５が設けられている。
【００６１】
５０円硬貨収容部２２０は、図９、図１１及び図１２において１００円硬貨収容シュータ２１１を除去して示す図１９〜図２１に示されるように、１００円硬貨収容シュータ２１１の内側に隣接して配された合成樹脂製の５０円硬貨収容シュータ部材２２１とシュータ部材２１１の背面との間に形成されている。このために、シュータ部材２２１には、最大４個の５０円硬貨を直径方向を上下に並べて収容できる長さの空所を有する５０円硬貨収容部２２０を画成するとともに、５０円硬貨収容部２２０から図示しない回収部と５０円硬貨返却口１２ｂとに硬貨を導く案内路を画成するリブ２２１ａが設けられている。また、５０円硬貨収容部２２０の入口部には、５０円硬貨投入口１１ｂに投入された硬貨を検銭し、正規硬貨の直径に相当するもののみを受け入れ、それ以外のものの受入を阻止する５０円硬貨検銭機構２２５が設けられている。
【００６２】
シュータ部材２２１は、図２２の背面斜視図及び図２３の背面図に示すように、各種の部品が取り付けられる取付部が一体に形成されている。まず、一対の支軸２２１ｂには、図２４の斜視図に示す硬貨センサ４１０と一体の回動操作規制片３００の軸孔３０１がそれぞれ回動自在に嵌合されて、一対の支軸２２１ｂ間に回動操作規制片３００及び硬貨センサ４１０が回動自在に支持されている。上述したように硬貨センサ４１０は硬貨検知片４１１及び４１２を有するが、硬貨検知片４１１は、図１９に示すようにシュータ部材２２１を横切った後、図９に示すようにシュータ部材２１１の開口２１１ｂを通じて１００円硬貨収容部２１０の空所内に突出され、硬貨検知片４１２は、図１９に示すようにシュータ部材２２１の開口２２１ｃを通じて５０円硬貨収容部２２０の空所内に突出されるとともにシュータ部材２２１の一部に当接された状態が、上述した重量アンバランスによって保たれている。
【００６３】
硬貨検知片４１１が１００円硬貨収容部２１０の空所内に突出される部位は、２枚目の１００円硬貨が１００円硬貨収容部２１０内に収容保持される部位である。したがって、２枚目の１００円硬貨が１００円硬貨収容部２１０内に収容保持されたとき、当該硬貨によって硬貨検知片４１１が１００円硬貨収容部２１０の空所外に後退され、硬貨検知片４１１と一体に形成されている回動操作規制片３００が、重量アンバランスによる回転力に抗して図１６において時計回転方向に回動され、図１８に示すように、規制部３１０が連結軸１２２の回動軌跡外に移動され、キー１６によるシリンダ錠１４の回動操作の規制が解除される。
【００６４】
一方、硬貨検知片４１２が５０円硬貨収容部２２０の空所内に突出される部位は、４枚目の５０円硬貨が５０円硬貨収容部２２０内に収容保持される部位である。硬貨検知片４１２も硬貨検知片４１１同様に回動操作規制片３００と一体に形成されているので、４枚目の５０円硬貨が５０円硬貨収容部２２０内に収容保持され、当該硬貨によって硬貨検知片４１２が５０円硬貨収容部２２０の空所外に後退されたときには、図１８に示すように、規制部３１０が連結軸１２２の回動軌跡外に移動され、キー１６によるシリンダ錠１４の回動操作の規制が解除される。
【００６５】
なお、回動操作規制片３００には硬貨投入口シャッタ３０２が一体に形成されている。硬貨投入口シャッタ３０２は、規制部３１０が連結軸１２２の回動軌跡上にあって、キー１６によるシリンダ錠１４の回動操作を規制しているとき、硬貨投入口１１ａ及び１１ｂへの硬貨の投入を許容する位置にあるが、硬貨検知片４１１又は４１２によって２枚目の１００円硬貨が１００円硬貨収容部２１０内に収容保持されたこと、又は、４枚目の５０円硬貨が５０円硬貨収容部２２０内に収容保持されたことが検知されて回動操作規制片３００が回動されると、硬貨投入口１１ａ及び１１ｂを塞いで硬貨の投入を禁止する。
【００６６】
シュータ部材２２１には、また、一対の支軸２１０ｄに図２５の斜視図に示す硬貨センサ４２０の一対の軸孔４２１が、一対の支軸２２１ｅに図２６の斜視図に示す硬貨センサ４３０の一対の軸孔４３１がそれぞれ回動自在に嵌合されて、一対の支軸２２１ｄ間及び２２１ｅ間に硬貨センサ４２０及び４３０が回動自在に支持されている。硬貨センサ４２０及び４３０は、前者の検知片４２２が後者の検知片２３２よりも長いことを除きほぼ同一の構造をなし、軸孔４２１及び４３１を中心にその一側に硬貨検知片４２２及び４３２を、他側に重量アンバランスを生じさせる重りを兼ねたストッパ片４２３及び４３３をそれぞれ有する。
【００６７】
硬貨センサ４２０の硬貨検知片４２２は、図１９に示すように５０円硬貨収容シュータ部材２２１の開口２２１ｆを通った後、図９に示すようにシュータ部材２１１の開口２１１ｃを通じて１００円硬貨収容部２１０の空所内に突出され、硬貨センサ４３０の硬貨検知片４３２は、図１９に示すようにシュータ部材２２１の開口２２１ｇを通じて５０円硬貨収容部２２０の空所内に突出されるとともにシュータ部材２１１の一部に当接された状態が、上述した重量アンバランスによってそれぞれ保たれている。
【００６８】
硬貨検知片４２２が１００円硬貨収容部２１０の空所内に突出される部位は、１枚目の１００円硬貨が１００円硬貨収容部２１０内に収容保持される部位である。したがって、１枚目の１００円硬貨が１００円硬貨収容部２１０内に収容保持されたとき、当該硬貨によって硬貨検知片４２２が重量アンバランスによる回転力に抗して１００円硬貨収容部２１０の空所外に後退される。この硬貨検知片４２２の後退によって１枚の１００円硬貨が１００円硬貨収容部２１０に収容保持されていることが検知される。また、硬貨検知片４３２が５０円硬貨収容部２２０の空所内に突出される部位は、２枚目の５０円硬貨が５０円硬貨収容部２２０内に収容保持される部位である。したがって、２枚目の５０円硬貨が５０円硬貨収容部２２０内に収容保持されたとき、当該硬貨によって硬貨検知片４３２が重量アンバランスによる回転力に抗して５０円硬貨収容部２２０の空所外に後退される。この硬貨検知片４３２の後退によって２枚の５０円硬貨が５０円硬貨収容部２２０に収容保持されていることが検出される。よって、両硬貨検知片４２２及び４３２の後退によって硬貨収容部２００に２００円の所定額が収容保持されていることが検出される。
【００６９】
硬貨検出機構４００は、両硬貨検知片４２２及び４３２が後退されていること、すなわち、１枚の１００円硬貨と２枚の５０円硬貨が保持されていることを検出するため、正面板１０ａに起立した支軸１０ａ５に一端の軸孔４４０ａが嵌合されて回動自在に支持された硬貨検知補助レバー４４０を有する。硬貨検知補助レバー４４０は、上述した駆動機構１００の駆動板１１０の背後に重なるように配置され、硬貨検知補助レバー４４０に突設した軸ピン４４１と駆動板１１０に起立した起立片１１４との間に張設したコイルスプリング４４２によって、硬貨検知補助レバー４４０に突設したストッパピン４４３が駆動板１１０の一側縁に当接された状態に保たれ、駆動板の１１０が回動されると、コイルスプリング４４２を介して硬貨検知補助レバー４４０に支軸１０ａ５を中心に回動させる回動力が与えられる。
【００７０】
硬貨検知補助レバー４４０には、上記硬貨検知片４２２及び４３２の何れか一方が硬貨収容部２１０及び２２０から後退されずに残っているとき、図２７の断面図に示すように、回動の初期の段階でストッパ片４２３及び４３３に突き当たって硬貨検知補助レバー４４０の回動を阻止する回動阻止アーム４４５が突設されている。硬貨検知片４２２及び４３２の両方が硬貨収容部２１０及び２２０から後退されているとき、すなわち、１枚の１００円硬貨と２枚の５０円硬貨が保持されていることが検出されてストッパ片４２３及び４３３が、図２８の断面図に示すように、回動阻止アーム４４５が突き当たらない位置に移動されると、硬貨検知補助レバー４４０は、キー１６の施錠状態への回動操作によって、図２９の断面図に示すように、シリンダ錠１４が回動されて駆動板１１０とともに回動されるようになる。
【００７１】
また、硬貨検知補助レバー４４０の他端部先端には、先端部が直角に折り曲げられて、硬貨検知補助レバー４４０の回動によって当接して上記回動規制片３００を回動させる規制解除片４４６が形成されている。なお、キー１６の施錠状態への回動操作によって、シリンダ錠１４が回動されて駆動板１１０とともに回動される硬貨検知補助レバー４４０の回動軸は駆動板１１０と異なり、しかも、駆動板１１０の回動によって硬貨検知補助レバー４４０の規制解除片４４６が移動される移動量は、連結軸１２２の移動量よりも大きくなっている。したがって、連結軸１２２が規制部３１０に当接される前に、硬貨検知補助レバー４４０の回動によって規制解除手段としての規制解除片４４６が当接して回動操作規制片３００が回動され、その規制部３１０が連結軸１２２の回動軌跡外に移動され、キー１６によるシリンダ錠１４の回動操作によって施錠板１７を出没孔１１ｂ１から突出させてロッカ扉を施錠することができるようになる。また、回動操作規制片３００の回動により、これと一体の硬貨投入口シャッタ３０２が硬貨投入口１１ａ及び１１ｂを塞いで硬貨の投入を禁止する。
【００７２】
シュータ部材２２１には、さらに、一対の支軸２２１ｈに図３０の背面斜視図に示す合成樹脂製のストッパ基板２３０の一対の軸孔２３１がそれぞれ嵌合されて、一対の支軸２２１ｈ間にストッパ基板２３０が回動自在に支持されている。ストッパ基板２３０には、一体に成形した１００円硬貨ストッパピン２３２及び５０円硬貨ストッパピン２３３が突設されるとともに、ストッパピンが選択的に突設できるようにピン立設用のネジ孔２３４及び２３５が予め設けられている。ストッパ基板２３０はまた、スプリング収容部２３６を一体に有し、この収容部２３６に収容され、シュータ部材２２１との間に圧縮介在されたコイルスプリング２４０（図１０中の想像線）によって、シュータ部材２２１に支持された状態でシュータ部材２２１から離間されるように付勢されている。
【００７３】
ストッパ基板２３０に突設されているストッパピン２３２及び２３３は、コイルスプリング２４０による付勢によってストッパ基板２３０が離間されているときには、シュータ部材２１１及び２２１の開口２１１ｃ及び２２１ｊを通じて硬貨収容部２１０及び２２０の空所から後退されているが、ストッパ基板２３０の押圧部２３７にコイルスプリング２４０による付勢に抗する押圧力が加えられてストッパ基板２３０が回動されると、シュータ部材２１１及び２２１の開口２１１ｃ及び２２１ｊを通じて硬貨収容部２１０及び２２０の空所にそれぞれ突出される。ストッパピン２３２及び２３３が硬貨収容部２１０及び２２０の空所にそれぞれ突出されているときには、硬貨収容部２１０及び２２０内に収容された硬貨は落下が阻止されて保持されているが、ストッパ基板２３０の押圧部２３７に付与されていた押圧力がなくなり、ストッパ基板２３０がコイルスプリング２４０による付勢によって回動され、ストッパピン２３２及び２３３が硬貨収容部２１０及び２２０の空所から後退されると、保持されていた硬貨が開放されて自重で落下する。
【００７４】
なお、ピン立設用のネジ孔２３４及び２３５にストッパピンをねじ込んで立設したときには、硬貨収容部２１０及び２２０にそれぞれ収容保持される硬貨枚数を、１００円硬貨１枚及び５０円硬貨２枚に変更できるので、所定額を１００円に設定することができる。このような設定が行われたときには、１００円硬貨１枚か５０円硬貨２枚で所定額になるので、１００円硬貨と５０円硬貨は同時に投入されることはない。
【００７５】
シュータ部材２２１には、さらに、一対の支軸２２１ｋに図３１の斜視図に示す合成樹脂製の硬貨保持アーム２５０の軸孔２５１の両端が嵌合され、一対の支軸２２１ｋ間に硬貨開放アーム２５０が回動自在に支持されている。硬貨開放アーム２５０は、軸孔２５１を中心にその一側に一対の離間された被動アーム２５２を、他側に駆動アーム２５３をそれぞれ有し、一対の被動アーム２５２には連結長孔２５２ａがあけられている。硬貨保持アーム２５０は、被動アーム２５２に駆動力が与えられ回動されると、駆動アーム２５３が押圧部２３７を押圧してコイルスプリング２４０の付勢力に抗してストッパ基板２３０を回動させて、ストッパピン２３２及び２３３が硬貨収容部２１０及び２２０の空所にそれぞれ突出させ、硬貨収容部２１０及び２２０に収容した硬貨を保持する。
【００７６】
５０円硬貨収容シュータ部材２２１には、シリンダ錠１４のシリンダ軸１４ａの後端に突出されたキー応動丸棒２６０（図１０参照）がガイド孔２２１ｍにより支軸２２１ｋの方向と直交する軸方向に摺動自在に支持されている。キー応動丸棒２６０は、図３２及び図３３の断面図に示すように、その一端がシリンダ軸１４ａのキー挿入穴１４ｂ内まで伸びており、他端には径方向に貫通する長孔２６１が形成されている。キー応動丸棒２６０の他端には、この長孔２６１を塞ぐように円管２６２の一端が嵌合された上で長孔２６１を貫通して円管２６２に駆動ピン２６３が打ち込まれ、長孔２６１の長さの範囲で相対移動可能に円管２６２が連結されている。
【００７７】
円管２６２の駆動ピン２６３が打ち込まれた部分が上記硬貨保持アーム２５０の一対の被動アーム２５２間に位置され、駆動ピン２６３の両端の延長部が被動アーム２５２の連結長孔２５２ａに挿入されることで、円管２６２と被動アーム２５２が連結される。円管２６２内には、キー応動丸棒２６０端面と、円管２６２の他端に駆動ピン２６３と直交する方向に打ち込んだ被動ピンを兼ねた止めピン２６４との間に縮設されたコイルスプリング２６５が収容されている。このコイルスプリング２６５の縮設によって、円管２６２に打ち込まれた駆動ピン２６３及び被動ピン２６４は、キー応動丸棒２６０に対して一方向に常時付勢される。
【００７８】
上述した構成において、円管２６２内に縮設したコイルスプリング２６５の付勢力は、ストッパ基板２３０にコイルスプリング２４０によって付与されている付勢力よりも大きくされている。このことによって、シリンダ錠１４のキー挿入口にキー１６が挿入され、図示のように、キー応動丸棒２６０がキー１６の先端に押されて最も右方に移動されると、このキー応動丸棒２６０の移動に伴って円管２６２も一緒に移動し、駆動ピン２６３によって被動アーム２５２が駆動されて硬貨保持アーム２５０が回動されるようになる。そして、硬貨保持アーム２５０の回動によって、駆動アーム２５３が押圧部２３７を押圧してコイルスプリング２４０の付勢力に抗してストッパ基板２３０を回動させて、ストッパピン２３２及び２３３が硬貨収容部２１０及び２２０の空所にそれぞれ突出される。このストッパピン２３２及び２３３の硬貨収容部２１０及び２２０内への突出状態は、シリンダ錠１４にキー１６が挿入されている間保持される。
【００７９】
なお、ストッパ基板２３０がシュータ部材２２１の背面に当たって回動できなくなった後のキー応動丸棒２６０の移動量は、長孔２６１によって円管２６２に対してキー応動丸棒２６０が相対移動することによって吸収される。
【００８０】
なお、シリンダ錠１４のキー挿入口に挿入されているキー１６が抜かれると、図示のように、キー１６の先端に押されて最も右方に移動されていたキー応動丸棒２６０が元の位置に戻され、コイルスプリング２４０による付勢に抗してストッパ基板２３０を押圧して保持していた拘束力がなくなり、ストッパ基板２３０がコイルスプリング２４０による付勢によって回動され、ストッパピン２３２及び２３３が硬貨収容部２１０及び２２０の空所から後退され、保持されていた硬貨が開放されて自重で落下する。
【００８１】
５０円硬貨収容シュータ部材２２１には、前板１１に一端が突出されている返却操作軸１５が一対のガイド孔２２１ｎをそれぞれ有するガイド片により軸方向に摺動自在に支持されている。返却操作軸１５には、図３３の断面図に示すように、後方のガイド孔２２１ｎから突出された軸端部にストッパを兼ねた駆動ピン１５ａが打ち込まれ、返却操作軸１５に外装したコイルスプリング１５ｂがガイド孔２２１ｎ間の部分に装着した止め輪１５ｃと後方のガイド孔を有するガイド片との間で縮設されることで、常時突出方向に付勢されている。シュータ部材２２１には、支軸２１１ｐに揺動レバー１５ｄの中間部が回動自在に支持されている。揺動レバー１５ｄは返却操作軸１５が押圧されて後退されると一端部に駆動ピン１５ａが当接して揺動され、この揺動によって他端部が被動ピン２６４に当接して円管２６２が駆動ピン２６３とともに、円管２６２内に縮設されているコイルスプリング２６５の付勢力に抗して移動される。
【００８２】
この駆動ピン２６３の移動によって、被動アーム２５２が駆動されて硬貨保持アーム２５０が回動されるようになる。そして、硬貨保持アーム２５０の回動によって、駆動アーム２５３による押圧部２３７に対する押圧がなくなり、ストッパ基板２３０がコイルスプリング２４０の付勢力によってシュータ部材２２１から離間する方向に回動されて、ストッパピン２３２及び２３３が硬貨収容部２１０及び２２０の空所からそれぞれ後退される。このストッパピン２３２及び２３３の硬貨収容部２１０及び２２０からの後退によって、それまで硬貨収容部２１０及び２２０内に収容保持されていた硬貨が落下される。
【００８３】
なお、返却操作軸１５には、シリンダ錠１４が図９及び図１９に示すような解錠状態にあるときには係合していないが、解錠状態から施錠状態になると駆動板１１０の係合突部１１５が係合する溝１５ｆが形成されており、施錠状態にあって係合突部１１５が溝１５ｆに係合しているときには、硬貨の返却を受けるための返却操作軸１５の押圧操作ができなくなる。
【００８４】
５０円硬貨収容シュータ部材２２１には、一対のガイド軸２２１ｑによって、連結板２８０が上下方向に案内されて摺動自在に支持されている。連結板２８０の一端部は駆動板１１０の連結突片１１６に係合され、他端部が図３４の斜視図に示す落下路切替片レバー２７０の偏心軸２７１に係合されている。落下路切替片レバー２７０は、大径軸２７２及び小径軸２７３がシュータ部材２２１の大径軸孔２２１ｒ（図１９）及びシュータ部材２１１の大径軸孔２１１ｅ（図９）にそれぞれ嵌合されて回動自在に支持され、シリンダ錠１４が図９及び図１９に示すような解錠状態にあるとき、硬貨収容部２１０及び２２０に収容保持された硬貨が解放によって落下したとき、落下した硬貨が回収部に落下して回収されることがないように回収部への落下路を塞ぐ。
【００８５】
したがって、シリンダ錠１４が図９及び図１９に示すような解錠状態にあるとき、硬貨の返却を受けるための返却操作軸１５の押圧操作されて、硬貨収容部２１０及び２２０内に収容保持されていた硬貨が落下されると、硬貨返却口１２ａ及び１２ｂから確実に返却される。
【００８６】
これに対し、シリンダ錠１４が図９及び図１９に示すような解錠状態から駆動板１１０が回動されて施錠状態にされると、これに伴って連結板２８０が下方に移動されて落下路切替片レバー２７０が回動され、回収部への落下路が開かれる。その後、シリンダ錠１４のキー挿入口に挿入されているキー１６が抜かれると、ストッパピン２３２及び２３３が硬貨収容部２１０及び２２０の空所から後退され、保持されていた硬貨が開放されて自重で落下するが、落下した硬貨は開かれた落下路を通って回収部に回収される。
【００８７】
また、硬貨返却口１２ａ及び１２ｂへの返却案内路には、シリンダ錠１４の解錠及び施錠に連動して案内路を開及び閉する図３５の斜視図に示す返却案内路開閉シャッタ２９０が設けられている。返却案内路開閉シャッタ２９０は、図８に示すように、駆動機構１００の一部を構成する施錠板保持片１２０を回動自在に支持している支軸１０ａを共用し、支軸１０ａに一端の軸孔２９１が嵌合されて回動自在に支持されている。返却案内路開閉シャッタ２９０には、軸孔２９１に隣接して形成されたカム溝２９２に、駆動板１１０の軸孔１１７に起立させた駆動ピン１１８が挿入され、シリンダ錠１４の解施錠に伴う駆動板１１０の回動よって回動駆動され、他端のシャッタ部２９３がシュータ部材２２１のスリット２２１ｓ及びシュータ部材２１１の開口２１１ｆを通じて移動されることで、返却案内路を開閉する。
【００８８】
上述した機構を備えた錠装置の動作を以下説明する。
【００８９】
今、キー１６が図１（ａ）に示すようにキー引き抜き不能な解錠状態にある場合には、１００円硬貨投入口１１ａ及び５０円硬貨投入口１１ｂにまだ所定数の硬貨が投入されていなければ、硬貨収容保持部２００に所定額の硬貨が収容保持されていないので、１００円硬貨収容部２１０及び５０円硬貨収容部２２０の何れの空所にも、空所内に突出している硬貨センサ４１０の硬貨検知片４１１及び４１２を後退させる硬貨は存在せず、回動操作規制片３００の規制部３１０は連結軸１２２が突き当たる位置に止まっている。したがって、キー１６によってシリンダ錠１４を回動操作して駆動板１１０によって連結軸１２２を移動させると、連結軸１２２が規制部３１０に突き当たってそれ以上移動できず、シリンダ錠１４の回動操作が規制される。この回動操作の規制は、１００円硬貨収容部２１０又は５０円硬貨収容部２２０に所定額投入保持された硬貨によって、硬貨検知片４１１又は４１２が後退させたときに解除される。
【００９０】
また、たとえ硬貨センサ４２０の硬貨検知片４２１及び硬貨センサ４３０の硬貨検知片４３１の一方が硬貨を検知して後退しても、両方ともに後退することがないときには、ストッパ片４２３及び４３３の少なくとも一方は回動阻止アーム４４５が突き当たる位置に止まっているので、キー１６によるシリンダ錠１４の回動操作によって硬貨検知補助レバー４４０は回動されることなく、駆動板１１０のみが回動されるが、１枚の１００円硬貨と２枚の５０縁硬貨とによって所定額の硬貨が１００円硬貨収容部２１０及び５０円硬貨収容部２２０に収容保持されると、硬貨検知片４２１及び４３１が空所から後退して両ストッパ片４２３及び４３３が回動阻止アーム４４５が突き当たらない位置に移動されるよういなる。従って、キー１６によるシリンダ錠１４の回動操作によって駆動板１１０が回動されると硬貨検知補助レバー４４０も一緒に回動され、連結軸１２２が規制部３１０に突き当たる前に、硬貨検知補助レバー４４０先端の規制解除片４４６が回動操作規制片３００に突き当たって規制部３１０が連結軸１２２の回動軌跡外に移動されるので、連結軸１２２は規制部３１０に突き当たることなく移動し続けることができ、キー１６によるシリンダ錠１４の回動操作の規制が解除され、施錠板１７を出没孔１１ｂ１から突出させてロッカ扉を施錠することができる。
【００９１】
キー１６によるシリンダ錠１４の回動操作によってシリンダ錠１４を施錠状態にすると、駆動板１１０の係合突部１１５が返却操作軸１５の溝１５ｆに係合されて、返却操作軸１５の押圧操作ができなくなる。また、一端部が駆動板１１０の連結突片１１６に係合されている連結板２８０が下方に移動され、その他端部に偏心軸２７１が係合されている落下路切替片レバー２７０が回動されて、硬貨収容部２１０及び２２０に収容保持された硬貨が解放によって落下したとき、落下した硬貨が回収部に落下して回収されるように回収部への落下路を開く。また、返却案内路開閉シャッタ２９０のカム溝２９２に挿入されている駆動板１１０の駆動ピン１１８がカム溝２９２内を移動することで、返却案内路開閉シャッタ２９０が回動駆動されてシャッタ部２９３が返却案内路を閉じる。
【００９２】
シリンダ錠１４を施錠状態に回動操作した後にキー１６をキー挿入穴から抜き取ると、それまでキー１６の先端から、キー応動丸棒２６０、コイルスプリング２６５、止めピン２６４、円管２６２、駆動ピン２６３、硬貨保持アーム２５０を介して、ストッパピン２３２及び２３３が硬貨収容部２１０及び２２０の空所にそれぞれ突出されるように、コイルスプリング２４０の付勢力に抗して回動させストッパ基板２３０を押圧していたコイルスプリング２６５の圧縮力に相当する力が開放され、ストッパピン２３２及び２３３が硬貨収容部２１０及び２２０の空所から後退するように、ストッパ基板２３０がコイルスプリング２４０の付勢力によって回動される。したがって、キー１６をキー挿入穴から抜き取ると、ストッパピン２３２及び２３３によって、硬貨収容部２１０及び２２０の空所に収容保持されていた硬貨が開放されて落下する。硬貨が落下される前に、落下路切替片レバー２７０が回動されて回収部への落下路が開かれ、返却案内路開閉シャッタ２９０によって返却案内路が閉じられているので、キー引き抜きによって回収される硬貨は使用料として回収される。
【００９３】
施錠状態にあるときには駆動板１１０の係合突部１１５は返却操作軸１５の溝１５ｆに係合されているので、返却操作軸１５は押圧操作できないが、解錠状態にあるときには返却操作軸１５はいつでも押圧操作できる。よって、硬貨投入を途中で止めて、投入した硬貨の返却を求めることができる。
【００９４】
返却操作軸１５がコイルスプリング１５ｂによる復帰力に抗して押圧されると、返却操作軸１５後端の駆動ピン１５ａが揺動レバー１５ｄの一端部に当たって揺動レバー１５ｄを揺動させ、揺動レバー１５ｄの他端部が被動ピン２６４に当接して円管２６２を円管２６２内に縮設されているコイルスプリング２６５の付勢力に抗して駆動ピン２６３とともに移動される。この駆動ピン２６３の移動によって、被動アーム２５２が駆動されて硬貨保持アーム２５０が回動されるようになる。
【００９５】
そして、硬貨保持アーム２５０の回動によって、駆動アーム２５３による押圧部２３７に対する押圧がなくなり、ストッパ基板２３０がコイルスプリング２４０の付勢力によってシュータ部材２２１から離間する方向に回動されて、ストッパピン２３２及び２３３が硬貨収容部２１０及び２２０の空所からそれぞれ後退される。このストッパピン２３２及び２３３の硬貨収容部２１０及び２２０からの後退によって、それまで硬貨収容部２１０及び２２０内に収容保持されていた硬貨が落下される。解錠状態にあるとき、落下路切替片レバー２７０が回収部への落下路を塞ぎ、返却案内路開閉シャッタ２９０が返却案内路を開しているので、返却操作軸１５の押圧操作によって落下された硬貨は硬貨返却口１２ａ及び１２ｂから返却される。
【００９６】
上述した第１の実施形態では、硬貨検出機構としての硬貨検出装置４００は、硬貨投入口１１ａ及び１１ｂに投入された２種類の硬貨、１００円硬貨及び５０円硬貨の組合せによって２００円の所定額となる硬貨が収容されたことを検出するものであって、２つの硬貨収容手段としての１００円硬貨収容部及２１０び５０円硬貨収容部２２０が、投入される１００円硬貨及び５０円硬貨にそれぞれ対応して設けられ、投入された１００円硬貨及び５０円硬貨をその種類毎に整列して収容し、組合せ硬貨検知手段としての硬貨センサ４２０及び４３０の硬貨検知片４２２及び４３２が、１００円硬貨収容部及２１０及び５０円硬貨収容部２２０に収容された１００円硬貨１枚と５０円硬貨２枚の組合せによって２００円となる１００円硬貨及び５０円硬貨がそれぞれ収容される１００円硬貨収容部及２１０及び５０円硬貨収容部２２０の部位にそれぞれ設けられ、当該部位に収容された１００円硬貨及び５０円硬貨によってそれぞれ作動され、１００円硬貨及び５０円硬貨の組合せで２００円収容されたことを、硬貨検知片４２２及び４３２が同時に作動されていることで検出する。１００円硬貨と５０円硬貨の２種類の硬貨であっても、硬貨が２００円収容されたことを機械的に検出できるので、単一の硬貨を多数所持していなくてもキー操作による施解錠が可能になり、１００円硬貨又は５０円硬貨で２００円を投入して収容させる場合に比べて、２００円となるのに必要な各硬貨の枚数が少なくてよい硬貨検出装置が得られ、各硬貨の枚数が所定額に足りないために両替を必要とすることを少なくできる。
【００９７】
また、第１の実施形態では、単一硬貨検知手段としての硬貨センサ４１０の硬貨検知片４１１及び４１２が、１００円硬貨収容部及２１０び５０円硬貨収容部２２０の各々に収容された１００円硬貨又は５０円硬貨のみによって２００円となる２枚目の１００円硬貨、４枚目の５０円硬貨が収容される部位にそれぞれ設けられ、収容された２枚目の１００円硬貨、４枚目の５０円硬貨硬貨によってそれぞれ作動され、１００円硬貨又は５０円硬貨で２００円収容されたことを硬貨検知片４１１及び４１２の作動により検出するので、１００円硬貨、５０円硬貨のいずれの硬貨でも２００円となる枚数が収容されたときに、２００円収容されたことを検出できる。１００円硬貨、５０円硬貨のいずれの硬貨でも２００円となる枚数が収容されたときに、２００円収容されたことを検出できるので、１００円硬貨と５０円硬貨だけでなく、１００円硬貨又は５０円硬貨の単一硬貨であっても、硬貨が２００円収容されたことを機械的に検出でき、融通性の高い硬貨検出装置が得られる。
【００９８】
第１の実施形態では、硬貨式錠装置は、２００円となる硬貨が収容されたことが検出されたとき、施解錠可能となるものであって、シリンダ錠１４がキー１６が抜けない解錠位置とキーが挿抜自在となる施錠位置との間でキー１６によって回動操作され、規制手段としての回動操作規制片３００が、解錠位置にあるときシリンダ錠１４のキー１６による回動操作を規制し、上述した硬貨検出装置が２００円となる硬貨の収容を検出したとき回動操作規制片３００による規制を解除してシリンダ錠１４の解錠位置から施錠位置へのキー１６による回動操作を可能にするので、単一硬貨で所定額を投入して収容させてキー１６によってシリンダ錠の施解錠を可能にする場合に比べて、所定額となるのに必要な各硬貨の枚数が少なくてもキー操作による施解錠が可能になる硬貨式錠装置を得ることができる。
【００９９】
図１〜図３５について上述した実施形態では、金額比が２対１である１００円硬貨と５０円硬貨を使用し、所定額を２００円として、１００円硬貨又は５０円硬貨のみにより、或いは、両硬貨の組合せにより所定額となる硬貨が収容保持されたことを硬貨検出機構が検出したとき施解錠できる硬貨式錠装置を示したが、第２の実施形態として、金額比が５対１である５００円硬貨と１００円硬貨を使用し、所定額を最大１０００円までの任意の金額として、５００円硬貨又は１００円硬貨により、或いは、両硬貨の組合せにより所定額となる硬貨が収容保持されたことを硬貨検出機構が検出したとき施解錠できる硬貨式錠装置を、図３６〜図４０を参照して以下に説明する。なお、以下の説明では、第１の実施形態と同等の部分には同一の符号を付して詳細な説明を省略している。
【０１００】
第２の実施形態は、図９に対応する左側面図を示す図３６と、図１９対応する左側面図を示す図３７とにそれぞれ示すように、硬貨の金額比が５対１になっていても、第１の実施形態の１００円硬貨収容部２１０が５００円硬貨収容部２１０ｘになっていて実質的に変わらないのに対し、５０円硬貨収容部２２０が前後２列に配された１００円硬貨収容部２２０ｘ１及び２２０ｘ２に分割されていること、所定額が１００円から１０００円まで範囲が広く、また組み合わせて検知しなけばならない硬貨の位置が離れていることに伴って、硬貨収納部２００と硬貨検知機構の構成が相違している点を除いて実質的に同じであるので、相違する部分のみを説明する。
【０１０１】
図３６に示されるように、５００円収容部２１０ｘを形成する５００円硬貨シュータ部材２１１ｘの形状が１００硬貨シュータ部材２１１と相違するだけで、実質的に同等のものが設けられている。なお、図３６には、シュータ部材２１１の形状の相違によって、１００円硬貨収容部２２０ｘ１及び２２０ｘ２に設けられている部材が見えている。
【０１０２】
一方、図３７に示されるように、１００円収容部２２０ｘ１及び２２０ｘ２には、それぞれ最大５枚の１００円硬貨を収容可能な長さを有し、ストッパ基板２３０に突設されたストッパピン２３３ｘ１及び２３３ｘ２が１００円硬貨シュータ部材２２１ｘの開口２２１ｇ１及び２２１ｇ２を通じて突出されている。１００円収容部２２０ｘ１には、１００円硬貨シュータ部材２２１ｘの背後に回動自在に設けられた５つの硬貨センサ４３０１〜４３０５の硬貨検知片４３２１〜４３２５が開口２１１ｘｇ１〜２１１ｘｇ５を通じて突出されている。また、１００円収容部２２０ｘ２には、所定額の設定に当たって、ストッパ基板２３０に予め形成されたピン立設用のネジ孔２３５１〜２３５４に選択的に突設されたストッパピンがシュータ部材２２１ｘの開口を通じて突出されるようになっている。なお、硬貨検知片４３２１〜４３２５は図３６にも示されているが、これらは５００円収容部２１０ｘ内には突出されていない。
【０１０３】
シュータ部材２２１ｘの背後には、投入された１００円硬貨を１００円硬貨収容部２２０ｘ１及び２２０ｘ２のいずれに収容するかを切り替えるための切替部材２５０が設けられている。切替部材２５０は、１００円硬貨収容部２２０ｘ１の入口部に、開口（符号なし）を通じて傾斜面を形成するように突出されて、投入された１００円硬貨を１００円収容部２２０ｘ２に収容し、後退されて投入された１００円硬貨を１００円硬貨収容部２２０ｘ１に収容するように切り替える切替片２５１と、１００円収容部２２０ｘ１に収容された５枚目の１００円硬貨を検知する検知片２５２とを有する。
【０１０４】
切替部材２５０は、所定額が６００円以上であるとき、検知片２５２が開口を通じて１００円硬貨収容部２２０ｘ１の５枚目の１００円硬貨の収容部位に突出され、切替片２５１が開口から後退されて配置され、検知片２５２が５枚目の硬貨の収容によって後退されると、これに代わって切替片２５１が入口部に突出され、６枚目以降の硬貨が１００円硬貨収容部２２０ｘ２に導かれるようになる。なお、所定額が６００円以下であるときには、切替部材２５０は、切替片２５１が開口から常に突出されるように押しピン（図示せず）によって不動状態に固定して配置され、投入された全ての１００円硬貨を１００円硬貨収容部２２０ｘ２に収容させる。
【０１０５】
第１の実施の形態では、図２７〜図２９に示すように、硬貨検知補助レバー４４０に一体に突設した回動阻止アーム４４５に、互いに隣接し比較的近くに配置される硬貨検知センサ４２０及び４３０の硬貨検知片４２２及び４３２が移動し、ストッパ片４２３及び４３３がともに突き当たらなくなったときに、組合せよって所定額となる硬貨を検知するようにしている。しかし、第２の実施形態では、図３６及び図３７に示すように、５００円収容部２１０ｘ内に突出され、１枚目の５００円硬貨を検知する硬貨検知片４２２と、１００円硬貨収容部２２０ｘ１内に突出されている硬貨検知片４３２１〜４３２５の任意の１つとによって、組合せによって所定額となる硬貨が収容保持されたことを検出するため、所定額となる硬貨の組合せによっては２つの硬貨センサは上下方向に離れて配置されるようになる。
【０１０６】
そこで、硬貨検知補助レバー４４０と一体の回動阻止アーム４４５に代えて、シュータ部材２２１ｘの背後には、図３８及び図３９に示すように、図示しない一対の支軸に一対の軸孔４５１がそれぞれ嵌合され上下方向に長尺の揺動基板４５０が回動自在に支持されるとともに、硬貨検知補助レバー４４０に突設された連結ピン４４７が揺動基板４５０の連結孔４５２に係合されて、硬貨検知補助レバー４４０の回動に応じて揺動基板４５０が揺動されるように、硬貨検知補助レバー４４０に対して連結されている。また、揺動基板４５０には、上記硬貨検知片４２２を有する硬貨センサ４２０のストッパ片４２３に対応する位置に穿たれたピン挿入孔４５３に挿入されて阻止ピン４５４が突設されるとともに、硬貨検知片４３２１〜４３２５をそれぞれ有する硬貨センサ４３０１〜４３０５のストッパ片４３３１〜４３３５にそれぞれ対応する位置に予め穿たれたピン挿入孔４５５１〜４５５５の一つ４５５５に挿入されて阻止ピン４５６が突設されている。このピン挿入孔４５５５に挿入されて阻止ピン４５６を突設したことによって、６００円の所定額が設定されていることになる。所定額を６００円以上の範囲で変更するには、阻止ピン４５６を挿入するピン挿入孔４５５１〜４５５５を変更すればよい。また、所定額を４００円以下で変更するには、１００円硬貨収容部２２０ｘ１の入口部に切替片２５１を常時突出させて投入した１００円硬貨が硬貨収容部２２０ｘ１側に収容されるようにし、ストッパピンを立設するネジ孔２３５１〜２３５４を１つ選ぶことで収容する所定額を設定できる。
【０１０７】
したがって、阻止ピン４５４及び４５６にそれぞれ対応する硬貨センサ４２０及び４３０１の硬貨検知片４２２及び４３２５の一方４３２５が、図３９に示すように、検出すべき硬貨がなく硬貨収容部４２０ｘ１内に突出したままになっていると、揺動基板４５０が揺動しようとしたとき、阻止ピン４５６が硬貨センサ４３０５のストッパ片４３３５に突き当たって揺動基板４５０はそれ以上の揺動が行われない。これに対して、図４０に示すように、硬貨センサ４２０及び４３０１の硬貨検知片４２２及び４３２５が、検出すべき硬貨により硬貨収容部４１０ｘ及び４２０ｘ１外に後退されると、揺動基板４５０が揺動しても阻止ピン４５４及び４５６が硬貨センサ４２０及び４３０５のストッパ片４２３及び４３３５に突き当ることがない。
【０１０８】
上述した第２の実施形態については、第１の実施形態と相違する部分についてのみ説明したが、以下に行う動作の説明では、第１の実施形態の図面も参照している。
【０１０９】
今、キー１６がキー引き抜き不能な解錠状態にある場合には、５００円硬貨投入口１１ａｘ及び１００円硬貨投入口１１ｂｘにまだ所定数の硬貨が投入されていなければ、硬貨収容保持部に所定額の硬貨が収容保持されていないので、５００円硬貨収容部２１０ｘ並びに１００円硬貨収容部２２０ｘ１及び２２０ｘ２の何れの空所にも、空所内に突出している硬貨センサ４１０の硬貨検知片４１１及び４１２を後退させる硬貨は存在せず、回動操作規制片３００の規制部は連結軸１２２が突き当たる位置に止まっている。したがって、キー１６によってシリンダ錠１４を回動操作して駆動板１１０によって連結軸１２２を移動させると、連結軸１２２が規制部に突き当たってそれ以上移動できず、シリンダ錠１４の回動操作が規制される。この回動操作の規制は、５００円硬貨収容部２１０ｘ又は１００円硬貨収容部２２０ｘ１及び２２０ｘ２に所定額投入保持された硬貨によって、硬貨検知片４１１又は４１２が後退させたときに解除される。
【０１１０】
また、たとえ硬貨センサ４２０の硬貨検知片４２１及び硬貨センサ４３０１〜４３０５の一つ４３０５の硬貨検知片４３１５の一方が硬貨を検知して後退しても、両方ともに後退することがないときには、ストッパ片４２３及び４３３５の少なくとも一方は揺動基板４５０に突設した阻止ピン４５４及び４５６が突き当たる位置に止まって揺動基板４５０は揺動しないので、揺動基板４５０に連結されている硬貨検知補助レバー４４０は、キー１６によるシリンダ錠１４の回動操作によって回動されることなく、駆動板１１０のみが回動されるが、１枚の５００円硬貨と１枚の１００円硬貨とによって６００円の所定額の硬貨が５００円硬貨収容部２１０ｘ並びに１００円硬貨収容部２２０ｘ１及び２２０ｘ２に収容保持されると、硬貨検知片４２１及び４３１が空所から後退して両ストッパ片４２３及び４３３が回動阻止アーム４４５が突き当たらない位置に移動されるよういなる。従って、キー１６によるシリンダ錠１４の回動操作によって駆動板１１０が回動されると硬貨検知補助レバー４４０も一緒に回動され、連結軸１２２が規制部３１０に突き当たる前に、硬貨検知補助レバー４４０先端の規制解除片４４６が回動操作規制片３００に突き当たって規制部３１０が連結軸１２２の回動軌跡外に移動されるので、連結軸１２２は規制部３１０に突き当たることなく移動し続けることができ、キー１６によるシリンダ錠１４の回動操作の規制が解除され、施錠板１７を出没孔１１ｂ１から突出させてロッカ扉を施錠することができる。
【０１１１】
キー１６によるシリンダ錠１４の回動操作によってシリンダ錠１４を施錠状態にすると、駆動板１１０の係合突部１１５が返却操作軸１５の溝に係合されて、返却操作軸１５の押圧操作ができなくなる。また、一端部が駆動板１１０の連結突片１１６に係合されている連結板が下方に移動され、その他端部に偏心軸が係合されている落下路切替片レバー２７０が回動されて、硬貨収容部２１０並びに２２０ｘ１及び２２０ｘ２に収容保持された硬貨が解放によって落下したとき、落下した硬貨が回収部に落下して回収されるように回収部への落下路を開く。また、返却案内路開閉シャッタ２９０のカム溝に挿入されている駆動板１１０の駆動ピンがカム溝内を移動することで、返却案内路開閉シャッタ２９０が回動駆動されてシャッタ部２９３が返却案内路を閉じる。
【０１１２】
シリンダ錠１４を施錠状態に回動操作した後にキー１６をキー挿入穴から抜き取ると、硬貨収容部２１０ｘ並びに２２０ｘ１及び２２０ｘ２の空所に収容保持されていた硬貨が開放されて落下し、硬貨が落下される前に、落下路切替片レバー２７０が回動されて回収部への落下路が開かれ、返却案内路開閉シャッタ２９０によって返却案内路が閉じられているので、キー引き抜きによって回収される硬貨は利用料として回収される動作は第１の実施形態と全く同じである。
【０１１３】
施錠状態にあるときには駆動板１１０の係合突部１１５は返却操作軸１５の溝に係合され、返却操作軸１５は押圧操作できないが、解錠状態にあるときには返却操作軸１５はいつでも押圧操作でき、投入硬貨が所定額に満たないために利用できないとき、投入済みの硬貨を返却操作によって返却を求めることができること、及び、これに伴う動作も第１の実施形態と全く同じである。
【０１１４】
上述した第２の実施形態では、硬貨検出機構としての硬貨検出装置４００は、投入された２種類の硬貨、５００円硬貨及び１００円硬貨の組合せによって６００円〜１０００円の所定額となる硬貨が収容されたことを検出するものであって、２つの硬貨収容手段としての１００円硬貨収容部及２１０ｘ並びに１００円硬貨収容部２２０ｘ１及び２２０ｘ２が、投入される５００円硬貨及び１００円硬貨にそれぞれ対応して設けられ、投入された５００円硬貨及び１００円硬貨をその種類毎に整列して収容し、組合せ硬貨検知手段としての硬貨センサ４２０及び４３０１〜４３０５の一つの硬貨検知片４２２及び４３２１〜４３２５の一つが、５００円硬貨収容部及２１０ｘ並びに１００円硬貨収容部２２０ｘ１及び２２０ｘ２に収容された５００円硬貨１枚と１００円硬貨１枚〜５枚の組合せによって６００円〜１０００円となる５００円硬貨及び１００円硬貨がそれぞれ収容される５００円硬貨収容部及２１０ｘ並びに１００円硬貨収容部２２０ｘ１及び２２０ｘ２の部位にそれぞれ設けられ、当該部位に収容された５００円硬貨及び１００円硬貨によってそれぞれ作動され、５００円硬貨及び１００円硬貨の組合せで６００円〜１０００円収容されたことを、硬貨検知片４２２及び４３２１〜４３２５の一つが同時に作動されていることで検出する。５００円硬貨と１００円硬貨の２種類の硬貨であっても、硬貨が６００円〜１０００円収容されたことを機械的に検出できるので、単一の硬貨を多数所持していなくてもキー操作による施解錠が可能になり、５００円硬貨又は１００円硬貨で６００円〜１０００円を投入して収容させる場合に比べて、６００円〜１０００円となるのに必要な各硬貨の枚数が少なくてよい硬貨検出装置が得られ、各硬貨の枚数が所定額に足りないために両替を必要とすることを少なくできる。
【０１１５】
また、第２の実施形態では、単一硬貨検知手段としての硬貨センサ４１０の硬貨検知片４１１及び４１２が、５００円硬貨収容部及２１０ｘ並びに１００円硬貨収容部２２０ｘ１及び２２０ｘ２の各々に収容された５００円硬貨又は１００円硬貨のみによって６００円乃至１０００円となる枚数の５００円硬貨、４枚目の５０円硬貨が収容される部位にそれぞれ設けられ、収容された２枚目の１００円硬貨、６〜１０枚目の１００円硬貨硬貨によってそれぞれ作動され、５００円硬貨又は１００円硬貨で６００円〜１０００円収容されたことを硬貨検知片４１１及び４１２の作動により検出するので、５００円硬貨、１００円硬貨のいずれの硬貨でも６００円〜１０００円となる枚数が収容されたときに、６００円〜１０００円収容されたことを検出できる。５００円硬貨、１００円硬貨のいずれの硬貨でも６００円〜１０００円となる枚数が収容されたときに、６００円〜１０００円収容されたことを検出できるので、５００円硬貨と１００円硬貨だけでなく、５００円硬貨又は１００円硬貨の単一硬貨であっても、硬貨が６００円〜１０００円収容されたことを機械的に検出でき、融通性の高い硬貨検出装置が得られる。
【０１１６】
なお、図示の実施の形態では、２種類の硬貨の組合せによって所定額となる場合を示したが、例えば、第１の実施形態において、１０円硬貨も加えた３種類の硬貨を使用できるようにすることができるが、１０円硬貨で所定額を収容することは現実的でないので、１０円硬貨を５０円硬貨１枚分の代替に使用するのが適当である。この場合、１０円硬貨収納部を設け、所定額が２００円の場合、１００円硬貨２枚、５０円硬貨４枚、１００円硬貨１枚と５０円硬貨２枚の組合せの他に、５０円硬貨３枚と１０円硬貨５枚の組合せと、１００円硬貨１枚と５０円硬貨１枚と１０円硬貨５枚の組合せが新たに生じるようになるが、各組合せに対応して、回動阻止アーム４４５を有する硬貨検知補助レバー４４０と同様の硬貨検知補助レバーを組合せの数だけ設けるとともに、各組合せにおいて検知しなければ硬貨に対応して硬貨センサを設け、何れかの組合せにおいて、全ての硬貨センサが同時に硬貨を検知して当該組合せに対応する硬貨検知補助レバーが回動できるようになることで、硬貨検知補助レバー４４０について上述したと同様の動作によって、キーによるシリンダ錠の回動操作の規制が解除されるようにできる。
【０１１７】
また、１０円硬貨を５０円硬貨の代替に使用するのではなく、例えば１７０円のような所定額を１０円単位まで設定できるようにするためにも利用できる。上述したことは、５００円硬貨と１００円硬貨を使用する第２の実施形態にも適用できる。１００円硬貨の一部を５０円硬貨によって代替できるようにするとともに、所定額を５０円単位で設定し、例えば７５０円とすることも可能になるが、この様な所定額を設定する場合には、１種類の硬貨のみで所定額を投入することができなくなるが、３種類の硬貨の組合せで所定額となる硬貨を検出することができることで対応可能である。
【０１１８】
また、図示の実施形態では、硬貨の種類毎に硬貨投入口が設けられているが、本願発明者が発明し、別途行った特許出願、特願２００６−９６８５８において提案している、１硬貨投入口に投入した２種類の硬貨の検銭を行い、種類毎に仕分ける装置を適用すれば、各硬貨種類毎に硬貨投入口を設けることなく、２種類の硬貨に対して１つの硬貨投入口を設ける構成とすることも可能である。
【０１１９】
さらに、図示の実施形態では、高額硬貨を２枚に制限し、２枚分の高額硬貨を低額硬貨によって代替できるようにしているが、高額硬貨を３枚以上とし、そのうちの一部を低額硬貨によって代替する構成とすることも可能である。
【０１２０】
図示の実施形態では、本発明に係る硬貨検出装置（機構）を組み込んだ実施形態として硬貨式錠装置を示しているが、本発明に係る検出装置は、定額の物品を自動販売するための自動販売機において、所定額となる硬貨が収容されたことを検出し、この検出に応じて購入物品を排出させるための排出レバーの操作を可能にするためにも適用できる。
【０１２１】
さらに、実施の形態では、金額比が２対１及び５対１となっている特定の硬貨を使用しているが、例示した金額比の硬貨の組合せを使用する場合にも、所定額となる硬貨の組合せを検出するために適用できる。
【図面の簡単な説明】
【０１２２】
【図１】本発明に係る硬貨検出装置を組み込んだ本発明に係る硬貨式錠装置の一実施の形態を示す正面図であり、（ａ）は解錠状態を（ｂ）は施錠状態をそれぞれ示す。
【図２】図１（ａ）の硬貨式錠装置の左側面図である。
【図３】図１（ａ）の硬貨式錠装置の右側面図である。
【図４】図１（ａ）の硬貨式錠装置の背面図である。
【図５】図１（ａ）の硬貨式錠装置の上面図である。
【図６】図１（ａ）の硬貨式錠装置の底面図である。
【図７】図１（ａ）の硬貨式錠装置の右後方から見た斜視図である。
【図８】枠体を除去した図１（ａ）の硬貨式錠装置の正面図である。
【図９】枠体を除去した図２の硬貨式錠装置の左側面図である。
【図１０】枠体を除去した図３の硬貨式錠装置の右側面図である。
【図１１】枠体を除去した図４の硬貨式錠装置の背面図である。
【図１２】枠体を除去した図７の硬貨式錠装置の右後方から見た斜視図である。
【図１３】図１（ａ）の硬貨式錠装置の一部分を示す正面図である。
【図１４】図３の硬貨式錠装置の一部分を示す右側面図である。
【図１５】図４の硬貨式錠装置の一部分を示す背面図である。
【図１６】図１５の硬貨式錠装置のさらに一部分を示す背面図である。
【図１７】図１５中の断面線について見た断面図である。
【図１８】図１７の異なる状態を示す断面図である。
【図１９】さらに一部分を除去した図８の硬貨式錠装置の左側面図である。
【図２０】さらに一部分を除去した図１１の硬貨式錠装置の背面図である。
【図２１】さらに一部分を除去した図１１の硬貨式錠装置の右後方から見た斜視図である。
【図２２】５０円硬貨収容シュータ部材の右側面図である。
【図２３】５０円硬貨収容シュータ部材の斜視図である。
【図２４】硬貨センサと一体の回動操作規制片の斜視図である。
【図２５】他の硬貨センサの斜視図である。
【図２６】さらに他の硬貨センサの斜視図である。
【図２７】図４の硬貨式錠装置の一部分を除去して示す背面図である。
【図２８】規制解除状態にある図４の硬貨式錠装置の一部分を除去して示す背面図である。
【図２９】施錠状態にある図４の硬貨式錠装置の一部分を除去して示す背面図である。
【図３０】ストッパ基板の斜視図である。
【図３１】硬貨保持アームの斜視図である。
【図３２】図８中の断面線について見た縦断面図である。
【図３３】図８中の断面線について見た横断面図である。
【図３４】落下路切替片レバの斜視図である。
【図３５】返却案内路開閉シャッタの斜視図である。
【図３６】図９に対応する第２の実施形態の左側面図である。
【図３７】図１９対応する第２の実施形態の左側面図である。
【図３８】硬貨検出機構の一部分の詳細を示す斜視図である。
【図３９】図３８に示す部分の背面図である。
【図４０】図３９に示す部分の異なる動作状態を示す背面図である。
【符号の説明】
【０１２３】
１４  シリンダ錠
１５  硬貨返却軸（硬貨返却手段）
１６  キー（操作手段）
２１０  １００円硬貨収容部（硬貨収容手段、第１の硬貨収容手段）
２１０ｘ  ５００円硬貨収容部（第１の硬貨収容手段）
２２０  ５０円硬貨収容部（硬貨収容手段、第２の硬貨収容手段）
２２０ｘ１、２２０ｘ２  １００円硬貨収容部（硬貨収容手段、第２の硬貨収容手段）
２３２，２３３，２３３ｘ１，２３３ｘ２  ストッパピン（保持手段）
２７０  落下路切替片レバー（硬貨回収手段）
３１０  規制部（規制手段）
４００  硬貨検出機構、硬貨検出装置（硬貨検出手段）
４１０  硬貨センサ（規制解除手段）
４１１，４１２  硬貨検知片（単一硬貨検知手段）
４２２，４３２    硬貨検知片（組合せ硬貨検知手段）
４４６  規制解除片（規制解除手段）
【図１】
2007299239.tif 000003
【図２】
2007299239.tif 000004
【図３】
2007299239.tif 000005
【図４】
2007299239.tif 000006
【図５】
2007299239.tif 000007
【図６】
2007299239.tif 000008
【図７】
2007299239.tif 000009
【図８】
2007299239.tif 000010
【図９】
2007299239.tif 000011
【図１０】
2007299239.tif 000012
【図１１】
2007299239.tif 000013
【図１２】
2007299239.tif 000014
【図１３】
2007299239.tif 000015
【図１４】
2007299239.tif 000016
【図１５】
2007299239.tif 000017
【図１６】
2007299239.tif 000018
【図１７】
2007299239.tif 000019
【図１８】
2007299239.tif 000020
【図１９】
2007299239.tif 000021
【図２０】
2007299239.tif 000022
【図２１】
2007299239.tif 000023
【図２２】
2007299239.tif 000024
【図２３】
2007299239.tif 000025
【図２４】
2007299239.tif 000026
【図２５】
2007299239.tif 000027
【図２６】
2007299239.tif 000028
【図２７】
2007299239.tif 000029
【図２８】
2007299239.tif 000030
【図２９】
2007299239.tif 000031
【図３０】
2007299239.tif 000032
【図３１】
2007299239.tif 000033
【図３２】
2007299239.tif 000034
【図３３】
2007299239.tif 000035
【図３４】
2007299239.tif 000036
【図３５】
2007299239.tif 000037
【図３６】
2007299239.tif 000038
【図３７】
2007299239.tif 000039
【図３８】
2007299239.tif 000040
【図３９】
2007299239.tif 000041
【図４０】
2007299239.tif 000042